(57)【特許請求の範囲】
【請求項１】
パネルの表面に積もった雪の落下を防止する雪滑り防止具であって、
前記パネルと相互に隣接する前記パネルとの間の隙間、または、前記パネルと保護壁との間の隙間に差し込まれる少なくとも１つの脚を含む脚部と、
前記脚部が前記隙間に差し込まれた後に、前記隙間から外部へ突出し、前記パネルの表面に積もった雪の滑りを止める雪止め部と、
前記脚部に設けられ、前記脚部が前記隙間に差し込まれたときに前記隙間を規定している前記パネルの側面又は前記保護壁の内側壁に弾性力を負荷し、前記脚部を摩擦係合させる弾性負荷手段を備え、
前記弾性負荷手段は、前記脚部の側面の一部から側方に分岐し前記雪止め部に向かい延
出した板ばねを含むことを特徴とする雪滑り防止具。
【請求項２】
前記脚部の先端には、前記脚部が前記隙間から引き抜かれるときに前記パネル又は前記保護壁の裏面に係合する抜け防止用の突起が設けられていることを特徴とする請求項１に記載の雪滑り防止具。
【請求項３】
前記雪止め部の雪押さえ面には、溝または孔が設けられていることを特徴とする請求項１または請求項２に記載の雪滑り防止具。
【請求項４】
前記脚部と前記雪止め部との境界で前記脚部と前記雪止め部に交差する方向に前記隙間より広く延出している肩部を備えていることを特徴とする請求項１乃至請求項３のいずれか一つに記載の雪滑り防止具。
【請求項５】
前記脚部は、前記肩部において、前記隙間の幅よりも狭い間隔で設けられている２本の脚を含み、前記２本の脚は、前記弾性負荷手段としての機能を含み、前記２本の脚が前記隙間に差し込まれる前の前記２本の脚の先端間の幅は、前記隙間の幅よりも大きく広げられていることを特徴とする請求項４に記載の雪滑り防止具。
【請求項６】
前記２本の脚の先端には、前記２本の脚が前記隙間から引き抜かれるときに前記パネル又は前記保護壁の裏面に係合する抜け防止用の突起が設けられていることを特徴とする請求項５に記載の雪滑り防止具。
【請求項７】
前記突起は、複数の段部を前記突起の外側面にさらに備えていることを特徴とする請求項２または請求項６に記載の雪滑り防止具。
【請求項８】
パネルの表面に積もった雪の落下を防止する雪滑り防止具であって、
前記パネルと相互に隣接する前記パネルとの間の隙間、または、前記パネルと保護壁との間の隙間に差し込まれる少なくとも１つの脚を含む脚部と、
前記脚部が前記隙間に差し込まれた後に、前記隙間から外部へ突出し、前記パネルの表面に積もった雪の滑りを止める雪止め部と、
前記脚部に設けられ、前記脚部が前記隙間に差し込まれたときに前記隙間を規定している前記パネルの側面又は前記保護壁の内側壁に弾性力を負荷し、前記脚部を摩擦係合させる弾性負荷手段を備え、
前記脚部と前記雪止め部との境界で前記脚部と前記雪止め部に交差する方向に前記隙間より広く延出している肩部を備え、
前記脚部は、前記肩部において、前記隙間の幅よりも狭い間隔で設けられている２本の脚を含み、前記２本の脚は、前記弾性負荷手段としての機能を含み、前記２本の脚が前記隙間に差し込まれる前の前記２本の脚の先端間の幅は、前記隙間の幅よりも大きく広げられていることを特徴とする雪滑り防止具。
【発明の詳細な説明】
【技術分野】
【０００１】
本発明は、傾斜しているパネルの為の雪滑り防止具に関する。
【背景技術】
【０００２】
昨今、発電用または給湯用のパネルを設置することが増えている。このパネルは、太陽に向けて傾斜して設置されている。パネルの表面は、平滑である。このため、パネルに積もった雪は、傾斜に沿って滑り落ちるおそれがある。
【０００３】
これを防止するため、例えば、パネルの設置時に、パネルを支持する保護壁とパネルとの隙間、または、相互に隣接するパネルの隙間に挟み込まれて固定される雪滑り防止具が知られている。
【先行技術文献】
【特許文献】
【０００４】
【特許文献１】特開２０１２ー２２９５５０号公報
【発明の概要】
【発明が解決しようとする課題】
【０００５】
上述の雪滑り防止具は、保護壁とパネルとの間、または、相互に隣接するパネルの隙間にボルト等の固定具を用いて固定され、取り付けられている。このため、上述の雪滑り防止具は、パネルの設置と同時に固定される。したがって、パネルを設置後に、雪滑り防止具を取り付ける場合は、該パネルを保護壁から取り外す必要がある。したがって、雪滑り防止具の追加取り付け作業は、煩雑である。
【０００６】
そこで、本発明の目的は、パネルを設置後においても簡易に取り付けることが出来るとともに、取り付け位置の調整も出来る雪滑り防止具を提供することである。
【課題を解決するための手段】
【０００７】
実施形態に係る雪滑り防止具は、パネルの表面に積もった雪の落下を防止する雪滑り防止具であって、前記パネルと相互に隣接する前記パネルとの間の隙間、または、前記パネルと保護壁との間の隙間に差し込まれる少なくとも１つの脚を含む脚部と、前記脚部が前記隙間に差し込まれた後に、前記隙間から外部へ突出し、前記パネルの表面に積もった雪の滑りを止める雪止め部と、前記脚部に設けられ、前記脚部が前記隙間に差し込まれたときに前記隙間を規定している前記パネルの側面又は前記保護壁の内側壁に弾性力を負荷し、前記脚部を摩擦係合させる弾性負荷手段を備え、前記弾性負荷手段は、前記脚部の側面の一部から側方に分岐し前記雪止め部に向かい延出した板ばねを含む。
【図面の簡単な説明】
【０００８】
【図１】図１は、第１実施形態に係る雪滑り防止具が太陽光パネル間の隙間に差し込まれる過程を示す斜視図である。
【図２】図２は、第１実施形態に係る雪滑り防止具の斜視図である。
【図３】図３は、第１実施形態に係る雪滑り防止具が相互に隣接する太陽光パネルの相互間の隙間に取り付けられた様子を示す断面図である。
【図４】図４は、第１実施形態に係る雪滑り防止具が保護壁と太陽光パネルとの間の隙間に取り付けられた様子を示す断面図である。
【図５】図５は、第２実施形態に係る雪滑り防止具を示す側面図である。
【図６】図６は、第３実施形態に係る雪滑り防止具を示す側面図である。
【図７】図７は、第４実施形態に係る雪滑り防止具を示す側面図である。
【図８】図８は、第５実施形態に係る雪滑り防止具が太陽光パネルの隙間に取り付けられた様子を示す断面図である。
【図９】図９は、第６実施形態に係る雪滑り防止具を示す斜視図である。
【図１０】図１０は、第７実施形態に係る雪滑り防止具を示す平面図である。
【図１１】図１１は、図１０に示されている雪滑り防止具の正面図である。
【図１２】図１２は、図１０に示されている雪滑り防止具の側面図である。
【図１３】図１３は、第８実施形態に係る雪滑り防止具に設けられた突起の部分拡大図である。
【図１４】図１４は、第９実施形態に係る雪滑り防止具を示す側面図である。
【発明を実施するための形態】
【０００９】
本実施形態に係る雪滑り防止具は、傾斜しているパネルの表面に積もった雪の落下を防止するために使用される。
［第１実施形態］
本実施形態にかかる雪滑り防止具１Ａを図１乃至図４を参照しながら説明する。
【００１０】
図１中に示されているように、第１実施形態に係る雪滑り防止具１Ａは、屋根１００に設置され相互に隣接するパネル６０ａとパネル６０ｂとの間の隙間２００に取り付けられる。また、雪滑り防止具１Ａは、パネル６０ｂと保護壁７０との間の隙間２００に取り付けることも出来る。第１実施形態において、パネル６０ａ，６０ｂは、それぞれ太陽光パネルである。
【００１１】
図１に示されているように、それぞれ太陽光パネル６０ａ，６０ｂは、太陽光発電のためのモジュール６２と、モジュール６２を保護するためのフレーム６１と、を含む。太陽光パネル６０ａ，６０ｂは、台座８０を介して屋根１００に固定されている。
【００１２】
第１実施形態における保護壁７０は、屋根１００に傾斜して設置されている太陽光パネル６０ａ，６０ｂ中の最も下側（軒側）に設置される太陽光パネル６０ｂのフレーム６１の末端の側面６４（図４参照）を保護するとともに、屋根１００の下から太陽光パネル６０ｂを見たときの太陽光パネル６０ｂの見栄えを良くするための化粧カバーを含む。
【００１３】
詳細には、化粧カバーは、図４に示されているように、軒下方向から台座８０やフレーム６１が見られることがないようにする化粧板７５と、隙間２００側の内側壁７１と、図４における内側壁７１の上端から、上方に突出した第１突出部７２と、化粧板７５の上端から上方に突出された第２突出部７３と、を含む。保護壁７０は、屋根１００の軒側の台座８０の先端付近に設置される。保護壁７０は、例えば、ボルトとナットとの組み合わせの如き公知の固定手段８１により台座８０に固定されている複数の係止金具８３により、太陽光パネル６０ｂのフレーム６１とともに台座８０に固定されている。
【００１４】
図１は雪滑り防止具１Ａが太陽光パネル６０ａと太陽光パネル６０ｂとの間の隙間２００に一つ取り付けられる過程を示している。なお、通常は、隙間２００に複数個の雪滑り防止具１Ａを相互に間隔を空けて設置される。
【００１５】
図１から図４を参照しながら、第１実施形態に係る雪滑り防止具１Ａについて詳細に説明する。
【００１６】
図２中に示されているように、第１実施形態に係る雪滑り防止具１Ａは、１つの脚１０ａを含む脚部１０と、脚部１０に連続している雪止め部２０と、脚部１０と雪止め部２０との境界において、脚部１０および雪止め部２０と交差する肩部３０と、脚部１０に設けられた弾性負荷手段４０と、を有している。
【００１７】
脚１０ａは、相互に隣接する太陽光パネル６０ａと太陽光パネル６０ｂとの間の隙間２００、あるいは、保護壁７０と保護壁７０に隣接した太陽光パネル６０ｂとの間の隙間２００に差し込まれる板状部材を有す。
【００１８】
雪止め部２０は、図３および図４中に示されているように、脚１０ａが隙間２００に差し込まれた後に、隙間２００から外部へ突出し、傾斜している太陽光パネル６０ａ，６０ｂの表面６３に積もった雪の滑りを止める。雪止め部２０の高さは、特に定められていないが、表面６３に雪が無いときは太陽光パネル６０ａ，６０ｂの表面６３におけるモジュール６２の発電領域に雪止め部２０の影がなるべく掛からず、且つ、雪止め機能を十分に発揮できる程度の高さが好ましい。
【００１９】
肩部３０は、図３および図４中に示されているように、雪滑り防止具１Ａの脚１０ａが差し込まれる隙間２００の幅よりも広く延出していて、雪滑り防止具１Ａが肩部３０より深く隙間２００に差し込まれることを防ぐ。このため、脚１０ａが隙間２００中に差し込まれた雪滑り防止具１Ａは、隙間２００から外部空間中へと常に同じ高さで雪止め部２０を突出させることが出来る。肩部３０は、軒側傾斜面３１と棟側傾斜面３２とを有する。棟側傾斜面３２は、雪止め部２０から軒側傾斜面３１よりも隙間２００の幅方向に長く延出している。
【００２０】
なお、棟側傾斜面３２と軒側傾斜面３１の隙間２００の幅方向への延出の長さは、雪止め部２０を中央として幅方向に均等に延びていてもよい。
【００２１】
脚部１０に設けられている弾性負荷手段４０は、脚１０ａが隙間２００に差し込まれたときに隙間２００を規定している太陽光パネル６０ａ，６０ｂの側面６４又は保護壁７０の内側壁７１に弾性力を負荷し、脚部１０を摩擦係合させるものである。具体的には、弾性負荷手段４０は、脚部１０において肩部３０の棟側傾斜面３２の側の第１側面１１ａの一部から側方に分岐し、雪止め部２０に向かい延出した板ばねを含む。この板ばねは、分岐点から遠ざかるに従い第１側面１１ａから側方に遠ざかる距離が大きくなるように反っている。
【００２２】
第１実施形態の雪滑り防止具１Ａにおいては、脚１０ａの先端に脚１０ａが隙間２００から引き抜かれるときに太陽光パネル６０ａ，６０ｂの裏面６５又は保護壁７０の裏面７６に係合する抜け防止用の突起５０が設けられている。
【００２３】
第１実施形態の雪滑り防止具１Ａとしては、錆にくく加工が容易であって、使用目的を達成するのに十分な強度を有する金属材料を用いて作製することができる。例えば、ステンレス鋼やアルミニウムの合金や鉄系の材料を用いることができる。さらに、強度上に問題がなければ、金属材料に代わり、種々のプラスチックも使用することができる。アルミニウム合金、ステンレス鋼、プラスチックを材料として使用する場合には、雪滑り防止具１Ａを成形型により一体的に作製することができる。
【００２４】
次に、太陽光パネル６０ａと太陽光パネル６０ｂとの間の隙間２００に雪滑り防止具１Ａを図３中に示されている如く、取り付ける過程について説明する。
【００２５】
雪滑り防止具１Ａは、相互に隣接する太陽光パネル６０ａと太陽光パネル６０ｂの表面６３の側からこれらの太陽光パネル６０ａ，６０ｂとの間の隙間２００に、脚１０ａの先端の突起５０を先頭にして差し込まれる（図１参照）。この時、雪滑り防止具１Ａの軒側傾斜面３１は、屋根１００の軒側に向けて、棟側傾斜面３２は、屋根１００の棟側に向けられている。隙間２００に雪滑り防止具１Ａの脚１０ａとともに差し込まれた弾性負荷手段４０である板ばねは、太陽光パネル６０ａのフレーム６１の側面６４により押圧されて脚１０ａ側へたわみ、側面６４に弾性力を負荷して側面６４と摩擦係合する。雪滑り防止具１Ａの脚１０ａは、太陽光パネル６０ａ，６０ｂの表面６３に雪滑り防止具１Ａの肩部３０が接触する位置まで隙間２００内に差し込まれる。太陽光パネル６０ａ，６０ｂの表面６３に肩部３０が接触したとき、脚１０ａの先端の突起５０は、パネル６０ｂの裏面６５側に突出する。すなわち、隙間２００から雪滑り防止具１Ａを引き抜こうとすると脚１０ａの先端の突起５０が裏面６５と係合し、上記引き抜きが阻止される。
【００２６】
隙間２００に沿った横方向への雪滑り防止具１Ａの移動は、弾性負荷手段４０と一方の太陽光パネル６０ｂのフレーム６１の側面６４との摩擦係合及び脚１０ａと他方の太陽光パネル６０ａのフレーム６１の側面６４との摩擦係合により規制され、隙間２００からの雪滑り防止具１Ａの抜け方向への移動は、突起５０により規制される。このため、雪滑り防止具１Ａは、太陽光パネル６０ａの表面６３に積もった雪を確実に雪止め部２０で支えることができる。
【００２７】
図４中に示されている如く、太陽光パネル６０ｂと保護壁７０との間の隙間２００に、雪滑り防止具１Ａを取り付ける過程については、前述した太陽光パネル６０ａと太陽光パネル６０ｂとの間の隙間２００に雪滑り防止具１Ａ取り付ける過程に比べ、太陽光パネル６０ａが太陽光パネル６０ｂに置き換えられるとともに、太陽光パネル６０ｂが保護壁７０に置き換えられていること以外は同じであるので、前記雪滑り防止具１Ａの取り付け過程の説明は省略する。
【００２８】
実施形態に係る雪滑り防止具１Ａは、設置後に隙間２００から取り外すことができる。具体的には、雪滑り防止具１Ａは、隙間２００の側方から隙間２００の下側に沿って差し込んだ細長い工具（図示せず）により弾性負荷手段４０の弾性力に抗して、太陽光パネル６０ｂの裏面６５に対する又は、保護壁７０の裏面７６に対する脚１０ａの先端の突起５０との係止が外れるように力を加えると、雪滑り防止具１Ａを隙間２００から取り外すことが出来る。また、隙間２００に取り付けられている雪滑り防止具１Ａは、その横面１２（図２参照）を押すことにより、隙間２００中で設置位置の調整をすることもできる。
【００２９】
雪滑り防止具１Ａの肩部３０の軒側傾斜面３１の裏側に脚１０ａの軒側傾斜面３１側の第２側面１１ｂに対し平行に延出している一対の凸部３３が形成されている。
【００３０】
雪滑り防止具１Ａが太陽光パネル６０ｂと保護壁７０との間の隙間２００に取り付けられるとき、肩部３０の第１接触面３５において、凸部３３と脚１０ａの第２側面１１ｂの基端部との間の凹部３４に図４中に示されているように、保護壁７０の第１突出部７２の先端が嵌合される。
【００３１】
これにより、雪滑り防止具１Ａは、軒側の太陽光パネル６０ｂと保護壁７０との間の隙間２００に確実に安定して設置される。
【００３２】
さらに、雪滑り防止具１Ａを取り付ける場合において、隙間２００の両側のパネル６０ａ、６０ｂの高さが同じ場合に肩部３０は、両側のフレーム６１と凸部３３の先端と第２接地面３６で接触する（図３）。一方、フレーム６１と第１突出部７２との高さが異なる場合には、高さが高い第１突出部７２を肩部３０の凹部３４で受ける（図４）。
【００３３】
これにより、雪滑り防止具１Ａは、フレーム６１と第１突出部７２とに多少の高さの違いがある場合であっても安定して設置することができる。
【００３４】
次に図５から図１４を参照しながら第２乃至第９実施形態の雪滑り防止具１Ｂ，１Ｃ，１Ｄ，１Ｅ，１Ｆ，１Ｇ，１Ｈについて説明する。
【００３５】
図５から図１４中に示されている第２乃至第９実施形態の雪滑り防止具１Ｂ，１Ｃ，１Ｄ，１Ｅ，１Ｆ，１Ｇ，１Ｈは、図１乃至図４中に示されていた第１実施形態の雪滑り防止具１Ａの雪止め部２０、脚部１０の脚１０ａ、弾性負荷手段４０の板ばね及び／又は突起５０の形状とは異なった形状を備えている。第１実施形態の雪滑り防止具１Ａの構成部材と同じ構成部材には、同じ参照符号を付して、それらの説明は省略する。
【００３６】
［第２実施形態］
図５中に示されている如く、第２実施形態の雪滑り防止具１Ｂは、脚１０ａの先端の突起５０ａが図１乃至図４を参照しながら前述した第１実施形態の雪滑り防止具１Ａの突起５０と比較して、雪止め部２０に向かうにつれて脚１０ａの第２側面１１ｂから遠ざかるように大きく反っている。このような突起５０ａは、第１実施形態の雪滑り防止具１Ａの突起５０に比べ、隙間２００からの雪滑り防止具１Ｂの抜けをより確実に阻止することができる。また、第２実施形態の雪滑り防止具１Ｂは、脚１０ａの先端の突起５０ａを有することにより、厚みの違う太陽光パネルに対しても対応することができる。具体的には、突起５０ａの先端が裏面６５側へ貫通しない場合であっても、突起５０ａは、太陽光パネルとの間において、弾性負荷手段として働き雪滑り防止具１Ｂの抜けを防止する。
【００３７】
［第３実施形態］
図６中に示されているように、第３実施形態の雪滑り防止具１Ｃは、図１乃至図４中に示されている雪滑り防止具１Ａの弾性負荷手段４０の板ばねと比べ、脚１０ａの第１側面１１ａから分岐している弾性負荷手段４０ａの板ばねの先端部が最終的には、脚１０ａの第１側面１１ａと平行又は、上記第１側面１１ａに向かい曲げられている。
【００３８】
第３実施形態の雪滑り防止具１Ｃの脚１０ａの先端の突起５０ａは図５に示されている第２実施形態の雪滑り防止具１Ｂとの脚１０ａの先端の突起５０ａと同じである。第３実施形態の雪滑り防止具１Ｃは、弾性負荷手段４０ａの板ばねの先端部の曲げ方向を第１及び第２実施形態の雪滑り防止具１Ａ，１Ｂのそれぞれの脚１０ａの弾性負荷手段４０の板ばねの先端部の曲げ方向とは逆に曲げられている。このため、第３実施形態の雪滑り防止具１Ｃの脚１０ａは、隙間２００へ差し込みづらくなるが、太陽光パネル６０ａ，６０ｂのフレーム６１の側面６４に対する摩擦力を増加させることができるので、より強固に隙間２００に支持される。
【００３９】
［第４実施形態］
図７中に示されているように、第４実施形態の雪滑り防止具１Ｄは、脚１０ａの弾性負荷手段４０ａの板ばねが、図６中に示されている第３実施形態の雪滑り防止具１Ｃの弾性負荷手段４０ａの板ばねと同じである。さらに、第４実施形態の雪滑り防止具１Ｄの脚１０ａの先端部の突起５０は、図１乃至図４中に示されている第１実施形態の雪滑り防止具１Ａの脚１０ａの先端の突起５０と同じである。このため、第４実施形態の雪滑り防止具１Ｄの脚１０ａは、第１実施形態の雪滑り防止具１Ａより少し隙間２００へ差し込みづらくなるが、太陽光パネル６０ａ，６０ｂのフレーム６１の側面６４に対する摩擦力を増加させることができるので、より強固に隙間２００に支持される。
【００４０】
［第５実施形態］
図８中に示されているように、第５実施形態の雪滑り防止具１Ｅは、脚部１０が２本の脚１０ａおよび１０ｂを含む。
【００４１】
具体的には、２本の脚１０ａ，１０ｂは、肩部３０において、隙間２００よりも狭い間隔で設けられている。隙間２００に差し込まれる前の２本の脚１０ａ，１０ｂの先端間の幅は、隙間２００よりも大きく広げられている。
【００４２】
２本の脚１０ａ，１０ｂは、弾性負荷手段としての機能を有する。２本の脚１０ａ，１０ｂの先端は、相互に隣接する太陽光パネル６０ａと太陽光パネル６０ｂとの間の隙間２００よりも広がっている。２本の脚１０ａ，１０ｂは、板ばね状の弾性体であるため、それぞれの先端を相互に接近させるように押圧されると、それぞれの先端間の間隔を隙間２００以下の幅にすることができる。この後、雪滑り防止具１Ｅの２本の脚１０ａ，１０ｂが、隙間２００に差し込まれる。隙間２００に差し込まれた雪滑り防止具１Ｅの２本の脚１０ａ，１０ｂの先端は、雪滑り防止具１Ｅの肩部３０が太陽光パネル６０ａ，６０ｂの表面６３に接触した時に隙間２００を貫通しパネル６０ａ，６０ｂの裏面６５側に広がる。
【００４３】
２本の脚１０ａ，１０ｂの先端には、相互に正反対の方向へ曲がっている突起５０が設けられている。太陽光パネル６０ａ，６０ｂの裏面６５側に突出した２本の脚１０ａ，１０ｂの先端の突起５０は、雪滑り防止具１Ｅの２本の脚１０ａ，１０ｂが隙間２００から引き抜かれようとすると太陽光パネル６０ａ，６０ｂの裏面６５に係合することにより、隙間２００からの雪滑り防止具１Ｅの抜けを防止する。なお、引き抜き防止のための突起５０の形状については、これに限られず、例えば図５および図６に示した突起５０ａのような大きな曲げ形状を有していてもよい。
【００４４】
［第６実施形態］
次に図９を参照しながら第６実施形態の雪滑り防止具１Ｆについて説明する。
【００４５】
第６実施形態の雪滑り防止具１Ｆは、図１乃至図４を参照しながら前述した第１実施形態の雪滑り防止具１Ａとは、雪止め部２０ａの構成のみが異なっている。第６実施形態の雪滑り防止具１Ｆにおいて、第１実施形態の雪滑り防止具１Ａの構成部材と同じ構成部材には、同一の符号を付して、その詳細な説明を省略する。
【００４６】
雪滑り防止具１Ｆの雪止め部２０ａは、雪滑り防止具１Ｆが取り付けられる隙間２００に沿った方向に相互に離間した複数の位置に複数の溝２１が形成されている。
【００４７】
雪止め部２０ａの複数の溝２１は、雪止め部２０ａの棟側で太陽光パネル６０ａ又は６０ｂの表面６３状に止められている雪から融けた水を雪止め部２０ａの棟側から軒側へ効率よく排出することができる。このため、雪止め部２０ａの棟側で太陽光パネル６０ａ又は６０ｂの表面６３上に止められている雪が雪止め部２０ａを超えて滑り落ちにくい。雪止め部２０ａに形成されている複数の溝２１は、太陽光パネル６０ａ，６０ｂの表面６３上に雪が無いときに雪止め部２０ａにより表面６３に影が出来る面積を減らすことができる。このため、太陽光パネル６０ａ，６０ｂのモジュール６２の発電効率をさらに向上させることができる。
【００４８】
雪滑り防止具１Ｆは、雪止め部２０に複数の溝２１を設ける代わりに複数の孔（図示せず）を設けても複数の溝２１と同様の効果を生じさせることができる。
【００４９】
［第７実施形態］
さらに、図１０乃至図１２を参照しながら、第７実施形態の雪滑り防止具１Ｇについて説明する。
【００５０】
雪滑り防止具１Ｇは、曲げ加工が可能であるとともに曲げ加工後にもある程度の弾性を発揮することができる、例えばステンレス鋼や鉄系の材料の１枚の板を折り曲げて作製されている。
【００５１】
第７実施形態の雪滑り防止具１Ｇにおいて、図１乃至図４に示されている第１実施形態の雪滑り防止具１Ａの構成部材と同様に機能する構成部材には、同一の符号を付して、その詳細な説明は省略する。
【００５２】
雪滑り防止具１Ｇは、脚部１０と、雪止め部２０ｂと、脚部１０と雪止め部２０ｂとの境界の肩部３０と、脚部１０の脚１０ａに設けられている弾性負荷手段４０の板ばねと、脚１０ａの先端の突起５０とを含む。雪滑り防止具１Ｇは、上記の通り一枚の板を曲げて作られていることを特徴としている。
【００５３】
具体的には、図１１中に示されているように、弾性負荷手段４０の板ばねは、脚１０ａの中央部分に逆Ｕ字形状に切り込みが入れられ、次に図１２中に示されているように、この切り込みの内側の舌状の部分を脚１０ａの第１側面１１ａの側に押し出して、上向きに傾斜した状態にし、さらにその上半分を第１側面１１ａに向かい上向きに傾斜した状態に折り曲げることにより作製される。肩部３０では、図１１中に示されているように、１枚の板において脚１０ａの基端側の側縁部に４本の切り込みが入れられた後に、両外側２本の切り込みよりも外側にある側縁部の両側部位を図１１において脚１０ａの基端から手前側に略９０度折り曲げることにより、棟側傾斜面３２（図１０，１２参照）を作製し、内側２本の切り込みの間の側縁部の中央部位を図１１において脚１０ａの基端から奥側へ略９０度折ることにより軒側傾斜面３１（図１０，１２参照）が作製される。雪止め部２０は、一枚の板の側縁部の中で、前述の工程において曲げられずに残った部分である。突起５０は、１枚の板の脚１０ａの先端側の側縁部を図１１において奥側に略９０度折り曲げた後、一定の幅を持って手前側に折り返して作製される（図１２参照）。
【００５４】
雪滑り防止具１Ｇは、１枚の板から曲げ加工のみにより作製されるため、脚１０ａに対する弾性負荷手段４０の板ばねの傾斜角度や、脚１０ａからの突出距離を細かく調整することができる。このため、すでに設置されている太陽光パネル６０ａ，６０ｂの相互間の隙間２００の状態を確認した後に弾性負荷手段４０の板ばねの傾斜角度や突起５０の角度を微調整することが可能である。
【００５５】
［第８実施形態］
図１３は、図５，図６に示した突起５０ａの別の実施形態を示した部分拡大図である。
【００５６】
突起５０ａは、フレーム６１の側面６４または、保護壁７０の内側壁７１と対向する外側面に複数の段部５２を含む（図１３参照）。例えば、一般的な太陽光パネルの厚みは、３５ｍｍ，４０ｍｍ，４６ｍｍ，５０ｍｍの４種類である。突起５０ａの外側面には、それぞれの厚みに対応した段部５２が設けられる。具体的には、段部５２ａは、太陽光パネルの厚み５０ｍｍに対応する。段部５２ｂは、太陽光パネルの厚み４６ｍｍに対応する。
段部５２ｃは、太陽光パネルの厚み４０ｍｍに対応する。太陽光パネルの厚みが３５ｍｍの場合は、段部を設けずに突起５０ａの先端を利用する。突起５０ａは、段部５２を設けることにより種々の太陽光パネルの厚みに合わせてより強固に係合することができるため抜けにくくなる。なお、図１３で示した突起５０ａの構造は、実施形態５または実施形態７に示す雪滑り防止具１Ｅ，１Ｇにも設けることができる。
【００５７】
［第９実施形態］
図１４中に示されるように、第９実施形態の雪滑り防止具１Ｈは、第１実施形態に係る雪滑り防止具１Ａの軒側と棟側を反転して設置した構成とほぼ同じ構成を有している。第１実施形態の雪滑り防止具１Ａとの相違は、以下の３点である。第１の相違は、脚１０ｃの第２側面１１ｂ側（軒側）に弾性負荷手段４０ｂを有することである。第２の相違は、脚１０ｃの先端に第１側面１１ａ側（棟側）へ曲がったフック状の突起５０ｂを有していることである。第３の相違は、肩部３０の近傍を先端の突起５０に比べ厚くし、突起５０ｂへ向かうにしたがって徐々に薄くなるように形成していることである。
【００５８】
このような、構成とすることにより雪滑り防止具１Ｈは、雪が太陽光パネル６０ａに積もり、雪止め部２０を軒方向へ向かって押した場合においても雪滑り防止具１Ｈがより抜けにくくなる。具体的には、雪滑り防止具１Ｈの脚１０ｃは、図３に示されている隙間２００の側面６４の表面６３側の開口をほぼ塞ぐように、肩部３０の近傍を肉厚に形成されている。このため、脚１０ｃの棟から軒方向への圧力に対する強度が増し、雪の重みにより雪滑り防止具１Ｈが変形することを防止する。また、雪滑り防止具１Ｈは、脚１０ｃの先端の突起５０ｂを雪滑り防止具１Ａの突起５０と反対方向へ曲がるフック状に設けている。このため、雪止め部２０が軒方向へ押された場合に、突起５０ｂは、棟側の太陽光パネル６０ａへ向かって動く。この場合に、フック状の突起５０ｂは、第１側面１１ａ側（棟側）の太陽光パネル６０ａの裏面６５に係止されるため、雪滑り防止具１Ｈが雪の圧力により隙間２００より抜けにくくなる。そして、太陽光パネル６０ａの表面に雪がなくなると、脚１０ｃの弾性力に加えて、弾性負荷手段４０ｂの復元力により元の位置に戻る。
【００５９】
前述した種々の実施形態の雪滑り防止具１Ａ~１Ｈが取り付けられるパネルは、前述した発電用の太陽光パネル６０ａ，６０ｂ以外にも、例えば、傾斜して設置される給湯用のパネルや、広告用のパネル等がある。
【００６０】
本実施形態においては、パネルの１辺よりも短い長さの雪滑り防止具を隣接するパネル間またはパネルと保護壁との間の長手方向の隙間に複数個並べて設置する方法を説明したが、隙間の長手方向の長さに対応する１つの雪滑り防止具を作製することもできる。また、例えば、パネルの１辺と同程度の長さの雪止め部と、この雪止め部に沿って相互に間隔を空けて設けられた複数の脚部と、を有する雪滑り防止具を用いることも可能である（図示せず）。この他、本発明の要旨を逸脱しない範囲で種々変形実施可能であるのは勿論である。
以下、本願の出願当初の特許請求の範囲に記載された発明を付記する。
［１］パネルの表面に積もった雪の落下を防止する雪滑り防止具であって、
前記パネルと相互に隣接するパネルとの間の隙間、または、前記パネルと保護壁との間の隙間に差し込まれる少なくとも１つの脚を含む脚部と、
前記脚部が前記隙間に差し込まれた後に、前記隙間から外部へ突出し、前記パネルの表面に積もった雪の滑りを止める雪止め部と、
前記脚部に設けられ、前記脚部が前記隙間に差し込まれたときに前記隙間を規定している前記パネルの側面又は前記保護壁の内側壁に弾性力を負荷し、前記脚部を摩擦係合させる弾性負荷手段を備えることを特徴とする雪滑り防止具。
［２］前記弾性負荷手段は、前記脚部の側面の一部から側方に分岐し前記雪止め部に向かい延出した板ばねを含むことを特徴とする［１］に記載の雪滑り防止具。
［３］前記脚部の先端には、前記脚部が前記隙間から引き抜かれるときに前記パネル又は前記保護壁の裏面に係合する抜け防止用の突起が設けられていることを特徴とする［１］または［２］に記載の雪滑り防止具。
［４］前記雪止め部の雪押さえ面には、溝または孔が設けられていることを特徴とする［１］乃至［３］のいずれか一つに記載の雪滑り防止具。
［５］前記脚部と前記雪止め部との境界で前記脚部と前記雪止め部に交差する方向に前記隙間より広く延出している肩部を備えていることを特徴とする［１］乃至［４］のいずれか一つに記載の雪滑り防止具。
［６］前記脚部は、前記肩部において、前記隙間の幅よりも狭い間隔で設けられている２本の脚を含み、前記２本の脚は、前記弾性負荷手段としての機能を含み、前記２本の脚が前記隙間に差し込まれる前の前記２本の脚の先端間の幅は、前記隙間の幅よりも大きく広げられていることを特徴とする［５］に記載の雪滑り防止具。
［７］前記２本の脚の先端には、前記２本の脚が前記隙間から引き抜かれるときに前記パネル又は前記保護壁の裏面に係合する抜け防止用の突起が設けられていることを特徴とする［６］に記載の雪滑り防止具。
［８］前記突起は、複数の段部を前記突起の外側面にさらに備えていることを特徴とする［３］または［７］に記載の雪滑り防止具。
【符号の説明】
【００６１】
１Ａ，１Ｂ，１Ｃ，１Ｄ，１Ｅ，１Ｆ，１Ｇ，１Ｈ…雪滑り防止具、１０…脚部、１０ａ…脚、１０ｂ…脚、１０ｃ…脚、１１ａ…第１側面、１１ｂ…第２側面、１２…横面、２０…雪止め部、２０ａ…雪止め部、２０ｂ…雪止め部、２１…溝、３０…肩部、３１…軒側傾斜面、３２…棟側傾斜面、３３…凸部、３４…凹部、３５…第１接触面、３６…第２接触面、４０…弾性負荷手段、４０ｂ…弾性負荷手段、５０…突起、５０ａ…突起、５０ｂ…突起、５１…外側面、５２…段部、６０ａ…太陽光パネル、６０ｂ…太陽光パネル、６１…フレーム、６２…モジュール、６３…表面、６４…側面、６５…裏面、７０…保護壁、７１…内側壁、７２…第１突出部、７３…第２突出部、７５…化粧板、８０…台座、８１…固定手段、８３…係止金具、１００…屋根、２００…隙間。
【図１】
0005998192.tif 000002
【図２】
0005998192.tif 000003
【図３】
0005998192.tif 000004
【図４】
0005998192.tif 000005
【図５】
0005998192.tif 000006
【図６】
0005998192.tif 000007
【図７】
0005998192.tif 000008
【図８】
0005998192.tif 000009
【図９】
0005998192.tif 000010
【図１０】
0005998192.tif 000011
【図１１】
0005998192.tif 000012
【図１２】
0005998192.tif 000013
【図１３】
0005998192.tif 000014
【図１４】
0005998192.tif 000015